(57)【要約】【課題】ユーザによる簡単な操作を可能にする、気候試験キャビネット、培養器、環境シミュレーションチャンバ、または冷凍庫などのドアを開くための装置を提供する。【解決手段】気候試験キャビネット、培養器、環境シミュレーションチャンバ、または冷凍庫のドア（１４）を開くための装置（２０）が記載され、装置（２０）は、ドア（１４）が閉鎖および施錠されている場合に、ドア（１４）を解錠し、それを開放位置まで移動させるのに適している。【選択図】図２
2010261303.tif 000002
【特許請求の範囲】
【請求項１】
気候試験キャビネット、培養器、環境シミュレーションチャンバ、または冷凍庫のドア（１４）を開くための装置（２０）であって、
前記ドア（１４）が閉鎖および施錠されている場合に、前記ドア（１４）を解錠し、前記ドアを開放位置まで移動させるのに適していることを特徴とする装置。
【請求項２】
前記ドア（１４）が開いている時に、前記ドア（１４）を閉鎖位置まで動かして施錠するのに適していることを特徴とする、請求項１に記載の装置。
【請求項３】
電気機械的に駆動されることを特徴とする、請求項１または２に記載の装置。
【請求項４】
少なくとも１つの開放スイッチによって作動可能な制御部を有することを特徴とする、請求項１から３のいずれか一項に記載の装置。
【請求項５】
前記制御部は、前記ドア（１４）が閉鎖している時に、前記ドア（１４）を解錠して開放位置に移動させるために、開放スイッチによって作動可能であることを特徴とする、請求項４に記載の装置。
【請求項６】
前記制御部は、前記ドア（１４）を閉鎖位置に移動させて施錠するために、前記開放スイッチによって前記ドア（１４）を開放位置から作動位置に移動させることによって作動可能であることを特徴とする、請求項４または５に記載の装置。
【請求項７】
電源を有し、前記電源が切れた時に前記ドア（１４）を閉鎖および施錠位置に保持するのに適していることを特徴とする、請求項１から６のいずれか一項に記載の装置。
【請求項８】
線形駆動部（２２）と、接続継手（２７）によって線形駆動部（２２）に旋回可能に接続され、カム（３６）を有するピボットレバー（３０）とを有し、
前記ピボットレバー（３０）は旋回ピン（３４）の周りで旋回可能に取り付けられるように設計されていることを特徴とする、請求項１から７のいずれか一項に記載の装置。
【請求項９】
前記線形駆動部（２２）は前記ドア（１４）の移動方向に対して実質的に垂直に移動することを特徴とする、請求項８に記載の装置。
【請求項１０】
前記線形駆動部（２２）は、前記ピボットレバー（３０）に面していないその一端において、前記旋回ピン（２８）の周りを旋回するように配置されていることを特徴とする、請求項８または９に記載の装置。
【請求項１１】
前記線形駆動部（２２）は電気機械的に駆動する旋回駆動部として設計されていることを特徴とする、請求項８から１０のいずれか一項に記載の装置。
【請求項１２】
前記ピボットレバー（３０）の前記カム（３６）は、前記線形駆動部（２２）が第１位置から第２位置へ移動する時に、前記ドア（１４）に配置されている閉鎖要素（１６）を閉鎖位置から開放位置へ移動させる、第１部分（３７）を有することを特徴とする、請求項８から１１のいずれか一項に記載の装置。
【請求項１３】
前記ピボットレバー（３０）の前記カム（３６）は、前記線形駆動部（２２）が第２位置から第１位置へ移動する時に、前記ドア（１４）に配置されている閉鎖要素（１６）を開放位置から閉鎖位置へ移動させる、第２部分（３８）を有することを特徴とする、請求項８から１２のいずれか一項に記載の装置。
【請求項１４】
前記第１部分（３７）および／または前記第２部分（３８）は、曲線をなすように、具体的には同じ方向に曲線をなすように、具体的には前記ピボットレバー（３０）の前記旋回ピン（３４）を囲み部分的に曲線をなすように設計されていることを特徴とする、請求項１２または１３に記載の装置。
【請求項１５】
前記カム（３６）は閉鎖要素（１６）のクランクガイドとして設計されていることを特徴とする、請求項８から１４のいずれか一項に記載の装置。
【請求項１６】
前記線形駆動部（２２）の縦軸（ｌ）と、接続継手（２７）と前記ピボットレバー（３０）の前記旋回ピン（３４）との間の接続軸（ｖ）とに挟まれる角度（α）は、前記ドア（１４）の閉鎖位置において９０°以下であることを特徴とする、請求項８から１５のいずれか一項に記載の装置。
【請求項１７】
請求項１から１６のいずれか一項に記載の前記ドア（１４）を開くための装置（２０）を有する、気候試験キャビネット、培養器、環境シミュレーションチャンバ、または冷凍庫。
【発明の詳細な説明】
【技術分野】
【０００１】
本発明は、請求項１のプリアンブルによる、ドアを開くための装置に関する。
【背景技術】
【０００２】
例えば、レバー機構を通じて操作者によって開力を印加する必要のある、手動ドア閉鎖装置が知られている。気候試験キャビネット、培養器、環境シミュレーションチャンバ、冷凍庫、または類似の器機の場合、器機の内部に広がる気候条件は外部の気候条件とは異なっており、その結果、機器の内部が真空となったり、ドアシールが凍結したりする可能性があるため、ユーザにとってそのような機器のドアを開くことは難しい。
【発明の概要】
【発明が解決しようとする課題】
【０００３】
従って、本発明の目的は、ユーザによる簡単な操作を可能にする、気候試験キャビネット、培養器、環境シミュレーションチャンバ、または冷凍庫などのドアを開くための装置を提供することにある。
【課題を解決するための手段】
【０００４】
本発明の目的は、請求項１の特徴を有する、気候試験キャビネット、培養器、環境シミュレーションチャンバ、または冷凍庫のドアを開くための装置によって達成される。
【０００５】
本発明の有利な実施例および改良例は、下位クレームにおいて特徴づけられている。
【０００６】
気候試験キャビネット、培養器、環境シミュレーションチャンバ、または冷凍庫のドアを開くための本発明による装置は、本装置が、ドアが閉鎖および施錠されている場合に解錠し、ドアを開放位置まで移動させるのに適していることを特徴とする。
【０００７】
様々なタイプのキャビネットのリストは最終的なものではなく、その代わり本発明による装置は本質的に、器機の内部には外部と異なる気象条件が広がっている、いかなるタイプの実験用キャビネットまたは類似の器機と共に使用してもよい。錠は、単にドアを引いたりドアにかかる圧力によってドアが回転式に開いたりすることを防止する、いかなる機構をも意味すると理解される。
【０００８】
従って、本発明によれば、もはやユーザ自身がレバー機構を操作したりドアを開放位置まで移動したりすることによってドアを開く力を印加する必要はなく、代わってドアを開く力は本装置によって印加される。これにより、ユーザは非常に容易にドアを開けることができるようになる。
【０００９】
本発明の特に好適な実施例によれば、本装置は、ドアが開いている時に、ドアを閉鎖位置まで動かして施錠するのに適している。これにより、ドアを閉鎖位置に移動させるためにユーザが人間の力を印加する必要はなくなり、代わりに装置によって相応する力が印加される。
【００１０】
本装置は、空気圧または油圧によって駆動されてもよいが、装置の設計を簡素化できるので、本装置は電気機械的に駆動されることが特に好ましい。
【００１１】
本発明の特に好適な実施例によれば、本装置は、少なくとも１つの開放スイッチによって作動可能な制御部を有する。開放スイッチは、具体的には腕や肘を使うことによって特に容易に操作できるので、ユーザはあまり力を入れずに開放スイッチを操作することができ、具体的には、ユーザが気候試験キャビネット、培養器、環境シミュレーションチャンバ、または冷凍庫に入れたりそこから出したりする物を手に持っている時にもこれが可能なため、開放スイッチは特にユーザフレンドリーである。
【００１２】
制御部は、好ましくは、ドアが閉鎖している時にドアを解錠して開放位置に移動させるために、開放スイッチによって作動可能である。好適な実施例によれば、制御部は、ドアを閉鎖位置に移動させて施錠するために、開放スイッチによってドアを開放位置から作動位置に移動させることで、作動可能である。本発明の特に好適な実施例によれば、ドアが閉鎖されている時に制御部を作動するための第１開放スイッチが設けられ、ドアが開いている時に制御部を作動するための第２開放スイッチが設けられている。具体的には、開放スイッチによって、例えばドアが閉鎖されている時に腕や肘による操作が可能になり、ドアは装置によって自動的に開放位置まで移動するようになっており、一方で、例えばユーザがここでも肘、または脚や足を使って作動位置に届くまでドアを押すだけで、ドアを開放位置から作動位置まで移動させることで、開放スイッチはドアを閉鎖するように作動することができ、ここで開放スイッチが作動されてドアを完全に閉鎖位置に移動させて施錠するので、特に簡単な使用が可能となる。
【００１３】
本発明の特に好適な実施例によれば、本装置は電源を有し、電源が切れた時でもドアを閉鎖および施錠位置に保持するのに適している。これにより、具体的には停電の場合、敏感な標本を収納している可能性のある気候試験キャビネット、培養器、環境シミュレーションチャンバ、冷凍庫などが誤って開くことが絶対にないようにし、対応する器機の中の気候条件が長期間維持されるようにする。
【００１４】
本装置は、好ましくは線形駆動部と、接続継手によって線形駆動部に旋回可能に接続されて、カムを有するピボットレバーとを有し、ピボットレバーは旋回ピンの周りで旋回可能に取り付けられるように設計されている。これにより、ドアを開けるための装置の構造設計が簡素化される。
【００１５】
線形駆動部は、好ましくはドアの移動方向に対して実質的に垂直に移動し、線形駆動部に対して垂直な力は実質的に線形駆動部のいかなる動作も誘発しないので、これによって具体的には、停電の場合でも、ドアを閉鎖および施錠位置に保持することが可能になる。
【００１６】
線形駆動部は、ピボットレバーに面していないその一端において、好ましくは旋回ピンの周りで旋回可能に、好ましくは僅かな角度だけ、線形駆動部が線形に移動する時にピボットレバーを回転可能にするために取り付けられている。あるいは、ピボットレバーと線形駆動部との間の接続継手は、線形駆動部が線形に移動するときにピボットレバーを回転可能にするために、延長孔の中で支持されてもよい。
【００１７】
単純な設計を有する線形駆動部の一実施例は、これが電気機械的に駆動されるスピンドル駆動部として設計されている時に得られる。
【００１８】
カムは、具体的には、ピボットレバーが回転する時に、ドアが閉鎖位置から開放位置へ、または開放位置から閉鎖位置へ移動するように設計されている。好ましくはピボットレバーのカムは、線形駆動部が第１位置から第２位置へ移動する時に、ドア上に配置された閉鎖要素を移動させ、同様にドアも閉鎖位置から開放位置へ移動させる、第１部分を有する。好ましくはピボットレバーのカムは、線形駆動部が第２位置から第１位置へ移動する時に、ドア上に配置された閉鎖要素を移動させ、それによって同時にドアも開放位置から閉鎖位置へ移動させる、第２部分を有する。このように、ドアの自動開閉は、構造的に単純な方法で可能となる。
【００１９】
第１部分および／または第２部分は具体的には曲線設計を有し、具体的には同じ方向に曲線をなし、具体的にはピボットレバーの旋回ピンを囲むような曲線をなしている。
【００２０】
本発明の好適な具体的な実施例によれば、カムは閉鎖要素のクランクガイドとして設計されているので、これによって構造的に単純な機構となる。
【００２１】
本発明の特に好適な実施例によれば、線形駆動部の縦軸と、線形駆動部とピボットレバーの旋回ピンとの間の接続軸と、の間で形成される角度は、ドアの閉鎖位置では９０°以下、特に好ましくはおよそ８７°であって、これにより、停電の場合にドアが確実に閉鎖位置に保持されるようになり、人間が印加する力によってドアが開くことを防止する。
【００２２】
ドアを開くための本発明による装置は、具体的には気候試験キャビネット、培養器、環境シミュレーションチャンバ、または冷凍庫などに使用される。具体的には、本発明は、ドアを開くための本発明による装置を有する気候試験キャビネット、培養器、環境シミュレーションチャンバ、または冷凍庫などに関する。
【図面の簡単な説明】
【００２３】
本発明を、以下の図面に基づいて詳細に説明する。
【図１】本発明による、ドアを開くための装置を有するキャビネットを示す。
【図２】図１の拡大詳細図を示す。
【図３】第１位置における駆動を示す、図２によるドアを開くための装置の側面図を示す。
【図４Ａ】第２位置における駆動を示す、図３によるドアを開くための装置を示す。
【図４Ｂ】図４Ａによる装置の正面図を示す。
【図４Ｃ】図４Ｂの線Ａ−Ａにおける断面図を示す。
【図４Ｄ】図４Ｂの線Ｂ−Ｂにおける断面図を示す。
【図４Ｅ】図４Ｃの拡大詳細図を示す。
【図４Ｆ】図４Ｄの拡大詳細図を示す。
【図４Ｇ】図４Ａによる装置を下から見た図を示す。
【図４Ｈ】図４Ａによる装置を上から見た図を示す。
【図５】図４Ａによる装置の斜視図を示す。
【図６】図５の拡大詳細図を示す。
【発明を実施するための形態】
【００２４】
図１から図６に、特に気候試験キャビネット、培養器、環境シミュレーションチャンバ、または冷凍庫などとして設計された、キャビネット１０のドア１４を開くための装置２０の様々な図を示す。各図において、同じ構成要素には同じ参照番号を付したが、図面の簡素化のため、全ての図面に全ての参照番号を記載しているわけではない。
【００２５】
図１はキャビネット１０の側面図を示す。同図において、ドア１４は閉鎖位置にあり、キャビネット１０の側壁１２に取り付けられた装置２０によって閉鎖位置に保持および施錠されている。装置２０は、具体的には保持板２１の上に配置され、保持板２１によってキャビネット１０の側壁１２に取り付けられている。
【００２６】
装置２０は、具体的にはスピンドル２６または押し込みロッドとモータ２４とを有するスピンドル駆動部として設計された、線形駆動部２２を有する。線形駆動部２２、具体的にはスピンドル２６は、縦軸ｌを有する。ピボットレバー３０は、スピンドル２６の一端にある接続継手２７を介して、接続継手２７の周りを旋回するように取り付けられている。
【００２７】
ピボットレバー３０に面していない線形駆動部２２の一端は、保持板２１上の旋回ピン２８の周りを旋回するように取り付けられている。旋回ピン２８は保持板２１上に配置され、保持板２１上の相対位置に固定されている。
【００２８】
ピボットレバー３０は、保持板２１上の旋回ピン３４の周りを旋回するように取り付けられており、具体的には旋回ピン３４の両側に配置された第１アーム３１および第２アーム３２を有している。旋回ピン３４は、保持板２１に取り付けられ、保持板２１上の相対位置に固定されている。ピボットレバー３０とスピンドル２６との間の接続継手２７は、第１アーム３１の自由端に配置されている。接続継手２７は、保持板に対する相対位置において移動可能であって、保持板２１との直接接続はない。
【００２９】
第１部分３７と第２部分３８とを有するカム３６は、ピボットレバー３０の第２アーム３２に配置されている。第１部分３７および第２部分３８を有するカム３６は、具体的には、ドア１４に配置された閉鎖要素１６のためのクランクガイドを形成する。閉鎖要素１６はＵ字型の要素として提供され、ピボットレバー３０の第２アーム３２のカム３６と係合し、具体的には第１部分３７および第２部分３８によってガイドされる。具体的には、カム３６は、ドア１４が閉鎖および施錠されている時には、装置２０がドア１４を開放位置に移動させ、逆にドア１４が開いている時には、ドア１４を閉鎖位置に移動させることができるようにする。
【００３０】
図２は閉鎖位置にあるドア１４および第１位置にある線形駆動部２２を示す。スピンドル２６の縦軸ｌ、および接続継手２７とピボットレバー３０の旋回ピン３４とを通る接続軸ｖは、およそ９０°以下、好ましくはおよそ８５°から８９°、具体的にはおよそ８７°の角度αを形成する。閉鎖要素１６は、カム３６の最も低い位置にある。ドア１４は閉鎖要素１６およびピボットレバー３０によって閉鎖位置に保持され、施錠されている。ドア１４を開こうと試みても、スピンドル２６、ピボットレバー３０、旋回ピン３４、およびカム３６が配置されているため、ドア１４を閉鎖位置に保持することができる。これは、ドア１４がスピンドル２６の縦軸ｌに対して実質的に垂直に移動するため、ドア１４の移動方向によって、ピボットレバー３０の旋回動作も線形駆動部２２の動作も開始され得ないからである。
【００３１】
装置２０は、電源を有する制御部を有する。更に、作動時に線形駆動部２２を作動し、具体的にはスピンドル２６を回して線形駆動部２２の長さを短くする第１開放要素が、例えばドア１４の前面に配置され、線形駆動部２２は第１位置から、角度αがより大きくなってピボットレバー３０が旋回ピン３４の周りを旋回する第２位置（具体的には図４ａ参照）に移動する。この旋回動作を線形駆動部２２によって実行可能にするため、線形駆動部２２は旋回ピン２８の周りを数度の角度で旋回する。
【００３２】
線形駆動部２２が第１位置から第２位置へ移動する時、閉鎖要素１６はピボットレバー３０の第２アーム３２のカム３６の第１部分にぶつかり、ここで第１部分３７の設計によって閉鎖要素１６がカム３６から押し出される。これは、具体的には、第１部分３７が僅かに曲線をなしており、具体的にはピボットレバー３０の旋回ピン３４を囲むような曲線をなしていることによって、達成される。線形駆動部２２が第１位置から第２位置へ移動する時に、閉鎖要素１６はこのようにカム３６の最も低い位置から離され、これによりドア１４も閉鎖位置から開放位置へ移動する。ドアを開く力は、具体的にはキャビネット１０の内部が真空である場合またはドアガスケットが凍結している場合に必要になるが、この力はユーザが第１開放要素を操作しただけでドアが開くように、装置２０によってこのように印加される。第１開放要素は、好ましくは、例えばユーザの手が空いていなくてもドア開放の作動が可能なように、腕や肘などによって触れたり僅かな圧力をかけたりするだけで動作可能となるような、広い領域を有するように設計されている。
【００３３】
ユーザにとって更に簡単に使えるようにするため、カム３６、具体的にはカム３６の第２部分３８の設計により、ピボットレバー３０は、ユーザが腕または脚を使って軽く押すとすぐに、例えば、具体的にはドア１４がまだ開いている作動位置に移動するとすぐに、更にドア１４を装置２０によって自動的に閉鎖および施錠させることができる。ドア１４を作動位置に移動させる際、例えばドア１４とキャビネット１０の他の要素との間の接触面の領域に位置する別の開放スイッチは、線形駆動部２２が第２位置から第１位置へ移動するような方法で装置２０を作動することになる。作動位置において、ドア１４は一方では開放要素に接触している。しかし、この作動位置もまた、閉鎖要素１６が既にカム３６の外部端、具体的にはカム３６の第２部分３８と接触するような方法で選択される。線形駆動部２２が第２位置から第１位置へ移動した場合、ピボットレバー３０が旋回ピン３４の周りで傾斜し、閉鎖要素１６が第２部分３８の、カム３６の最も低い位置までぶつかり、この際カム３６の設計、具体的には第２部分３８の曲線の設計は、具体的には旋回ピン３４の周りを囲むような曲線をなしているが、これによって、ユーザがいかなる力を働かせる必要もなく、閉鎖要素１６およびドア１４が閉鎖位置に引き寄せられるという結果をもたらす。このように、一方ではユーザにとってドアの閉鎖が容易になり、他方ではドアが確実に閉まることが保証される。
【００３４】
第１部分３７および第２部分３８の曲線は、具体的には同じ方向に曲がっており、特に好ましくは実質的に平行であるので、その結果閉鎖要素１６のクランクガイドとなる。
【符号の説明】
【００３５】
１０  キャビネット
１２  側壁
１４  ドア
１６  閉鎖要素
２０  装置
２１  保持板
２２  線形駆動部
２４  モータ
２６  スピンドル
２７  接続継手
２８  旋回ピン
３０  ピボットレバー
３１  第１アーム
３２  第２アーム
３４  旋回ピン
３６  カム
３７  第１部分
３８  第２部分
ｌ  縦軸
ｖ  接続軸
α  角度
【図１】
2010261303.tif 000003
【図２】
2010261303.tif 000004
【図３】
2010261303.tif 000005
【図４Ａ】
2010261303.tif 000006
【図４Ｂ】
2010261303.tif 000007
【図４Ｃ】
2010261303.tif 000008
【図４Ｄ】
2010261303.tif 000009
【図４Ｅ】
2010261303.tif 000010
【図４Ｆ】
2010261303.tif 000011
【図４Ｇ】
2010261303.tif 000012
【図４Ｈ】
2010261303.tif 000013
【図５】
2010261303.tif 000014
【図６】
2010261303.tif 000015
【外国語明細書】
2010261303000001.pdf